(57)【要約】  建築物の開口用の遮蔽物。遮蔽物は、少なくとも２つのセルユニットまたは列を有するセルパネルを含む。遮蔽物は、少なくとも２つのセルユニット間の境界に配された光吸収要素も含む。第１の光吸収要素は、実質的にすべての可視光波長を吸収することができる。【選択図】図２Ｃ
2014525528.tif 000002
【特許請求の範囲】
【請求項１】
建築物の開口用の遮蔽物であって、
アタッチメントラインに沿って取り付けられた少なくとも２つのセルユニットと、
前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、
を備える、遮蔽物。
【請求項２】
前記少なくとも２つのセルユニットのそれぞれは、
外側セルと、
前記外側セル内に少なくとも部分的に収容された内側セルと、
を含む、請求項１に記載の遮蔽物。
【請求項３】
前記内側セルの外面の少なくとも一部は、別のセルユニットの前記外側セルが前記内側セルに近接して配されるように前記境界において露出される、請求項２に記載の遮蔽物。
【請求項４】
前記第１の光吸収要素は、前記内側セル上に配される、請求項２に記載の遮蔽物。
【請求項５】
前記第１の光吸収要素は、前記境界で露出した前記内側セルの外面上に配される、請求項２に記載の遮蔽物。
【請求項６】
前記第１の光吸収要素は、前記外側セル上に配される、請求項２に記載の遮蔽物。
【請求項７】
前記第１の光吸収要素に対して前記セルユニットの反対側に配される第２の光吸収要素をさらに備える、請求項１〜６のいずれか一項に記載の遮蔽物。
【請求項８】
前記第１の光吸収要素は、前記第１の光吸収要素上に入射する実質的にすべての可視光波長を吸収する、請求項１〜６のいずれか一項に記載の遮蔽物。
【請求項９】
建築物の開口を覆うセルパネルであって、
第１のセル列と、
前記第１のセル列に動作可能に連結された第２のセル列と、
前記第１のセル列と前記第２のセル列との間の境界に配された第１の光吸収要素と、を備えるセルパネル。
【請求項１０】
前記第１のセル列は、
第１の外側セルと、
前記第１の外側セル内に少なくとも部分的に収容された第１の内側セルと、
を含み、
前記第２のセル列は、
第２の外側セルと、
前記第２の外側セル内に少なくとも部分的に収容された第２の内側セルと、
を含む、請求項９に記載のセルパネル。
【請求項１１】
前記第１の内側セルおよび前記第２の内側セルは、光吸収材料から少なくとも部分的に構成される、請求項１０に記載のセルパネル。
【請求項１２】
前記第１の光吸収要素は、前記第２の内側セルの外面上に配される、請求項１０に記載のセルパネル。
【請求項１３】
前記第１の外側セルは、前記第１の光吸収要素が露出される隙間を規定する、請求項１０〜１２のいずれか一項に記載のセルパネル。
【請求項１４】
前記第１の光吸収要素は、前記第１の内側セルの第１の長手エッジに近接して配される、請求項１０〜１２のいずれか一項に記載のセルパネル。
【請求項１５】
前記第２のセル列に動作可能に連結された第３のセル列と、前記第２のセル列と前記第３のセル列との間の境界に近接して配された第２の光吸収要素と、をさらに備える、請求項１０〜１２のいずれか一項に記載のセルパネル。
【請求項１６】
前記第１および第２の光吸収要素は異なる幅を有する、請求項１５に記載のセルパネル。
【請求項１７】
前記境界の縦断面は、
前記第２の内側セルの上壁と、
前記上壁の上方に配された前記第１の光吸収要素と、
前記第２の内側セルの前記上壁および前記第１の光吸収要素から縦方向に離れた前記第１の外側セルの下壁と、
を備える、請求項１０〜１２のいずれか一項に記載のセルパネル。
【請求項１８】
前記遮蔽物は第２の光吸収要素をさらに備え、前記境界の前記縦断面は、前記下壁の上方に配された前記第２の光吸収要素をさらに備える、請求項１７に記載のセルパネル。
【請求項１９】
建築物の開口用の遮蔽物であって、
上部レールと、
前記上部レールに動作可能に連結され、少なくとも２つのセルユニットを含むセルパネルであって、各セルユニットが、
外側セルと、
前記外側セル内に少なくとも部分的に収容された内側セルと、を備えるセルパネルと、
前記少なくとも２つのセルユニット間の境界に配された第１の光吸収要素と、
前記上部レールに対して前記セルパネルの反対側の端部に動作可能に連結され、前記遮蔽物が拡張された状態と引き込められた状態との間を動作する際に縦方向に移動可能である下部レールと、
を備える遮蔽物。
【請求項２０】
前記第１の光吸収要素は、前記内側セルまたは前記外側セルのうちの少なくとも一方に埋め込まれ、前記第１の光吸収要素に入射する実質的にすべての可視光波長を吸収する、請求項１９に記載の遮蔽物。
【請求項２１】
前記内側セルの外面の少なくとも一部は、別のセルユニットの前記外側セルが前記内側セルに近接して配されるように前記境界で露出される、請求項１９に記載の遮蔽物。
【請求項２２】
前記第１の光吸収要素は前記内側セル上に配される、請求項１９〜２１のいずれか一項に記載の遮蔽物。
【請求項２３】
前記第１の光吸収要素は、前記境界で露出した前記内側セルの前記外面の前記一部に配される、請求項２２に記載の遮蔽物。
【請求項２４】
建築物の開口用の遮蔽物であって、
アタッチメントラインに沿って取り付けられた少なくとも２つのセルユニットと、
前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、
を備える、遮蔽物。
【請求項２５】
前記少なくとも２つのセルユニットのそれぞれは、
外側セルと、
前記外側セル内に少なくとも部分的に収容された内側セルと、
を含む、請求項２４に記載の遮蔽物。
【請求項２６】
前記内側セルの外面の少なくとも一部は、別のセルユニットの前記外側セルが前記内側セルに近接して配されるように前記境界において露出される、請求項２５に記載の遮蔽物。
【請求項２７】
前記第１の光吸収要素は、前記内側セル上に配される、請求項２５または２６に記載の遮蔽物。
【請求項２８】
前記第１の光吸収要素は、前記境界で露出した前記内側セルの外面上に配される、請求項２５〜２７のいずれか一項に記載の遮蔽物。
【請求項２９】
前記第１の光吸収要素は、前記外側セル上に配される、請求項２５または２６に記載の遮蔽物。
【請求項３０】
前記第１の光吸収要素は、前記内側セルまたは前記外側セルのうちの少なくとも一方の一部内に少なくとも部分的に埋め込まれる、請求項２５〜２９のいずれか一項に記載の遮蔽物。
【請求項３１】
前記第１の光吸収要素は、前記内側セルまたは前記外側セルのうちの少なくとも一方の一部と一体である、請求項２５〜３０のいずれか一項に記載の遮蔽物。
【請求項３２】
前記第１の光吸収要素は、前記内側セルまたは前記外側セルのうちの少なくとも一方の一部の上部に、当該一部から離れるように延在して配される、請求項２５〜３１のいずれか一項に記載の遮蔽物。
【請求項３３】
前記第１の光吸収要素は、前記第１の光吸収要素に入射する実質的にすべての可視光波長を吸収する、請求項２４〜３２のいずれか一項に記載の遮蔽物。
【請求項３４】
前記第１の光吸収要素に対して隣接するセルユニット上に配される第２の光吸収要素をさらに備える、請求項２４〜３３のいずれか一項に記載の遮蔽物。
【請求項３５】
前記第２の光吸収要素は、前記隣接するセルユニットの一部内に少なくとも部分的に埋め込まれる、請求項３４に記載の遮蔽物。
【請求項３６】
前記第２の光吸収要素は、前記隣接するセルユニットの一部と一体である、請求項３４または３５に記載の遮蔽物。
【請求項３７】
前記第２の光吸収要素は、前記隣接するセルユニットの一部の上部に、当該一部から離れるように延在して配される、請求項３４〜３６のいずれか一項に記載の遮蔽物。
【請求項３８】
前記境界の縦断面は、
第１のセルユニットの内側セルの上壁と、
前記上壁の上方に配された前記第１の光吸収要素と、
前記第１のセルユニットの前記内側セルの前記上壁および前記第１の光吸収要素から縦方向に離れた第２のセルユニットの外側セルの下壁と、
を備える、請求項２５〜３７のいずれか一項に記載のセルパネル。
【発明の詳細な説明】
【技術分野】
【０００１】
[0001]関連出願の相互参照
本出願は、合衆国法典第３５巻第１１９条（ｅ）に基づく、２０１１年８月２６日に出願した米国仮特許出願第６１／５２８，０２８号の利益を請求し、その全体を参照により本明細書に援用する。
【０００２】
[0002]本発明は、概して、建築物の開口用の遮蔽物に関し、特に、建築物の開口用のセル遮蔽物に関する。
【背景技術】
【０００３】
[0003]窓、ドア、アーチ道等のような、建築物の開口用の遮蔽物は、長年の間に多くの形態をとっており、これらの遮蔽物のいくつかは、開口全体にわたって拡張された状態と、開口の１つまたは複数の側に近接して引き込められた状態との間で移動可能となるように、引き込み可能なものとして存在している。
【０００４】
[0004]より最近には、引き込み可能な遮蔽物は、セル形態に作製されている。このような遮蔽物におけるセルは、典型的には、開口を横方向に横切るように延在する細長いチューブまたはセルである。遮蔽物が開けられ、窓の開口を横切って延びているとき、セル自体が拡張されるが、遮蔽物が引き込められたとき、各セルと隣接するセルとが積み重ねられるようにセルは畳まれ、小さなスペースにひとまとめに合わせて積層される。
【発明の概要】
【課題を解決するための手段】
【０００５】
[0005]開示の例は、建築物の開口用の遮蔽物を含む。遮蔽物は、他方の上部に積層された少なくとも２つのセルユニットまたは列を有するセルパネルを含む。遮蔽物は、少なくとも２つのセルユニット間の境界に配された第１の光吸収要素も含む。第１の光吸収要素は、実質的にすべての可視光波長を吸収することができる。各セルユニットは、外側セルと、外側セル内に少なくとも部分的に収容された内側セルと、を含むことができる。内側セルの外面の少なくとも一部は、別のセルユニットの外側セルが内側セルの露出部分に近接して配されるように境界において露出することができる。第１の光吸収要素は、内側セルまたは外側セル上に配することができる。一構成において、第１の光吸収要素は、隣接するセルユニット間の境界で露出した内側セルの外面上に配される。遮蔽物は、第１の光吸収要素に対して境界の反対側に配される第２の光吸収要素をさらに含むことができる。
【０００６】
[0006]開示の他の例は、建築物の開口を覆うセルパネルを含む。セルパネルは、第１のセル列と、第１のセル列に動作可能に連結された第２のセル列と、を含む。第１のセル列は、第１の外側セルと、第１の外側セル内に少なくとも部分的に収容された第１の内側セルと、を含む。同様に、第２のセル列は、第２の外側セルと、第２の外側セル内に少なくとも部分的に収容された第２の内側セルと、を含む。第１の内側セルおよび第２の内側セルは、光吸収材料とすることができる。セルパネルは、第１のセル列と第２のセル列との間の境界に配された第１の光吸収要素も含む。第１の光吸収要素は、第２の内側セルの外面上に配することができ、第１の外側セルは、第１の光吸収要素が露出される隙間を規定することができる。追加的にまたは代替的に、第１の光吸収要素は、第１の内側セルの第１の長手エッジに近接して配することができる。いくつかの構成において、セルパネルは、第２のセル列に動作可能に連結された第３のセル列と、第２のセル列と第３のセル列との間の境界に近接して配された第２の光吸収要素と、を含む。これらの構成において、第１および第２の光吸収要素は異なる幅を有することができる。例えば、第２の光吸収要素は、第１の光吸収要素より細い幅を有することができる。
【０００７】
[0007]開示のさらに他の例は、建築物の開口用の遮蔽物を含む。遮蔽物は、上部レールと、セルパネルと、下部レールと、を含む。セルパネルは、上部レールに動作可能に連結され、少なくとも２のセルユニットを含む。パネルの各セルユニットは、外側セルと、外側セル内に少なくとも部分的に収容された内側セルと、を含む。セルパネルは、少なくとも２つのセルユニット間の境界に配された第１の光吸収要素をさらに含む。さらに、下部レールは、上部レールに対してセルパネルの反対側の端部に動作可能に連結され、遮蔽物が拡張された状態と引き込められた状態との間を動作する際に縦方向に移動する。第１の光吸収要素は、内側セルまたは外側セルのうちの少なくとも一方に埋め込むことができ、実質的にすべての可視光波長を吸収することができる。第１の光吸収要素は、実質的にすべての光の波長を吸収する着色されたＭｙｌａｒとすることができる。いくつかの構成において、内側セルの外面の少なくとも一部は、別のセルユニットの外側セルが内側セルに近接して配されるように、隣接するセルユニット間の境界で露出することができる。これらの構成において、第１の光吸収要素は内側セル上に配することができ、要素は、境界で露出した内側セルの外面の一部にさらに配することができる。
【０００８】
[0008]開示の本概要は、理解を助けるために与えられ、当業者は、開示の種々の態様および特徴のそれぞれが、いくつかの例において、または他の例における開示の他の態様および特徴との組み合わせにおいて別個に有益に使用可能であることを理解するであろう。
【図面の簡単な説明】
【０００９】
【図１Ａ】[0009]建築物の開口用の遮蔽物の等角投影図である。
【図１Ｂ】[0010]引き込められた状態の図１Ａの遮蔽物の等角投影図である。
【図２Ａ】[0011]セルパネルの隣接するセルユニット間の境界の拡大側面図である。
【図２Ｂ】[0012]光吸収要素を含むセルパネルの拡大側面図である。
【図２Ｃ】[0013]セル壁に埋め込まれた光吸収要素を有する図２Ｂのセルパネルの拡大側面図である。
【図３】[0014]図１Ａの３−３線に沿った拡大側面図である。
【図４Ａ】[0015]セルユニットの例を示す分解等角投影図である。
【図４Ｂ】[0016]第２のセルユニットに動作可能に連結されたセルユニットの拡大等角投影図である。
【図５】[0017]セルユニットの側面図である。
【図５Ａ】[0018]内側セルの例の上部等角投影図である。
【図５Ｂ】[0019]図５Ａの内側セルの下部等角投影図である。
【図５Ｃ】[0020]内側セルの別の例の上部等角投影図である。
【図６】[0021]第２のセルユニットに動作可能に連結されたセルユニットの別の例の拡大等角投影図である。
【図７】[0022]２つの光吸収要素を含む未形成内側セルの例の上部平面図である。
【図７Ａ】[0023]第３の光吸収要素を有する図７の未形成内側セルの上部平面図である。
【図８】[0024]１つの光吸収要素を含む未形成内側セルの例の上部平面図である。
【図８Ａ】[0025]第２の光吸収要素を有する図８の未形成内側セルの上部平面図である。
【図９】[0026]図７に示す光吸収要素よりも幅が細い２つの光吸収要素を含む未形成内側セルの例の上部平面図である。
【図９Ａ】[0027]第３の光吸収要素を有する図９の未形成内側セルの上部平面図である。
【発明を実施するための形態】
【００１０】
概要
[0028]セル遮蔽物は、概して、複数のセルを含み、当該セルは、細長く、縦方向に位置合わせされ、横方向に延在し、断面方向に折り畳み可能であり、上下の隣接するセルに長軸方向に接合されてセルの縦方向の積層を形成する。各セルの横断面は、六角形、八角形、またはこれらの変形体など多数の形状をとることができる。断面方向に折り畳み可能なセルを使用するこのような遮蔽物は、概して、セルが横方向または水平方向に延在するように配向され、このような材料のパネルは、セルが縦方向に延在する、または水平方向と垂直方向との間の角度で延在するようにも配向することができる。
【００１１】
[0029]本明細書におけるいくつかの実施形態において、セルシェードが開示される。セル遮蔽物のパネルは、概して、材料の長さに沿って長手方向に延在する線に沿って折り畳まれ、曲げられ、または折られている材料の１つまたは複数のストリップからセルユニットの各セルを組み合わせることによって形成される。続いて、形成された各セルは、セルの上方だけに隣接して配されたセルに、上部アタッチメントラインに沿って取り付けられる。また、セルは、概して、セルの下方だけに隣接して配されたセルに、下部アタッチメントラインに沿って取り付けられる。このようにして、積層セルパネルが形成される。
【００１２】
[0030]セルユニットは、調節可能な幅を有する接着剤の薄層によってアタッチメントライン（上部および下部）に沿って合わせて取り付けられ、セルを上下に隣接するセルと強固に連結してパネルを形成する。概して、外側および内側のセルは、織物、不織布、または編物材料から作製される。不織布材料は、天然繊維または合成繊維、および繊維を結合する樹脂を含むことができる。
【００１３】
[0031]セル同士の連結において、光が、各隣接する上側セルと下側セルとの間の連結ラインを透過することができるので、遮蔽物の光透過性に影響を及ぼし得る。これにより、（いくつかの例において所望される可能性がある）遮蔽物が完全に遮光することが阻止され得ると共に、遮蔽物の断熱性に悪影響を及ぼし得る。
【００１４】
[0032]光が、各隣接する上側セルと下側セルとの間の連結ラインを通ることを実質的に防止するまたは著しく減少させるために、光吸収要素がセル間の境界に配される。光吸収要素は、隣接するセル間の境界領域にセルの長さに沿って延在する線条に形成される。光吸収要素は、連続的または分割的とすることができ、線状または曲線状とすることができ、様々な幅を有することができ、および様々な厚さを有することができる。光吸収要素は、セルの一体的な一部として形成することができ、またはセルに取り付けられる別個の部品とすることができる。例えば、光吸収要素は、セルを形成する材料のストリップの表面に塗布される染料、またはストリップに埋め込まれる染料とすることができる。付加的にまたは代替的に、光吸収要素は光吸収性を有するプラスチックの薄層など、セル表面に取り付けられる材料の分離片とすることができる。光吸収要素は、所望の光吸収に依存する種々の色（暗い色を含む）とすることができる。さらに、光吸収要素は、隣接するセル間、内側セルと外側セルとの間、または両方等、光漏えいが、隣接するセル間において生じ得る種々の位置に配することができる。このようにして、セル間の連結境界においてセルパネルの背後側または道路側を通ることができる光は、セルパネルの前方側または部屋側へ透過する代わりに、光吸収要素によって吸収させることができる。
【００１５】
[0033]図面の説明
図１Ａおよび１Ｂを参照すると、セルパネル１６は、複数のセルユニット２２を含む。各セルユニット２２は、少なくとも１つの隣接するセルユニット２２に動作可能に連結される。セルユニット２２は、アタッチメントラインまたは境界領域に沿って取り付けられる。セルユニット２２の組み合わせは、セルパネル１６を形成する。各セルユニット２２は、１つの内部体積（単一セル）、外側セル２４および内側セル２６によって規定される２つの内部体積（二重セル）、またはいくつかの構成において複数の内部体積を含むことができる。セルユニット２２が二重セルである場合、内側セル２６は、実質的に、外側セル２４内に収容することができる。２つのセル２４、２６は、（例えば、接着剤、縫い合わせ、または他の留具によって）動作可能に互いに連結することができる。２つのセル２４、２６は、１つの列またはセルユニット２２を形成する。各セルユニット２２の連結位置もしくは境界においてまたはその近くにおいて、外側セル２４および内側セル２６の一方または両方は、光吸収要素を含むことができる。光吸収要素は、セル２４、２５間および／またはセルユニット２２間の連結点もしくは境界に、またはそれに近接して配することができる。
【００１６】
[0034]図１Ａは、拡張された状態における建築物の開口用の遮蔽物１０の等角投影図である。図１Ｂは、引き込められた状態における遮蔽物１０の等角投影図である。遮蔽物１０は、上部レール１２、下部またはエンドレール１４、および上部レール１２と下部レール１４とを相互接続する可撓性セルパネル１６を含むことができる。遮蔽物１０は、制御コード１８の自由端に位置するふさ２０を有する制御コード１８を操作することによって、図１Ａに示す拡張された状態から図１Ｂに示す引き込められた状態へ動かすことができる。制御コード１８は、（昇降コードなど、不図示）昇降機構に接続することができる。昇降機構は、上部レール１２からパネル１６を通って下部レール１４へ延在することができ、上部レール１２の方へ下部レール１４を持ち上げるように動作する。遮蔽物１０は、制御コード１８を固定し、完全に拡張された状態と完全に引き込まれた状態との間の所望の状態にパネル１６を維持するコード留め（不図示）を上部レール１２内に含むことができる。遮蔽物１０を拡張するために、ふさ２０が上昇し、昇降機構に追加の長さを提供することができ、下部レール１４は（重力によって）下降することができる。他の例において、遮蔽物１０は、自動または電動システム、滑車システム、その他などの代わりの制御機構を含むことができる。
【００１７】
[0035]図１Ａおよび図１Ｂをさらに参照すると、パネル１６は、複数のセルユニット２２または列を含む。各セルユニット２２は、パネル１６の幅にわたって水平方向にまたは横方向に延在し、他の各セルユニット２２と縦方向に位置合わせされる。各セルユニット２２は、（より詳細に以下に説明する）直接的に隣接する上側セルユニット２２および下側セルユニット２２に、その長さに沿って動作可能に連結される。また、各セルユニット２２は、遮蔽物１０が引き込まれるように横断面方向に折り畳み可能であり、セルユニット２２の高さは減少し、セルユニット２２は互いに積層される。例えば、パネル１６の長さに対して直角に見た各セルユニット２２の断面領域は、積層可能となるように所望の方法で折り畳まれる。
【００１８】
[0036]図２Ｂから図６を参照すると（図２Ａは以下で参照）、各セルユニット２２は、外側セル２４および外側セル２４内に少なくとも部分的に収容される内側セル２６を含むことができる。外側セル２４は、概して平行な長手エッジ２８を有する材料の長く、細いストリップから形成することができる。ストリップは、概して、ストリップの長さに沿って延在する折り曲げ線辺りで折り曲げられ、概して環状構造を形成する。外側セル２４が中空の管状セル形状に形成されると、エッジ２８は、実質的には隣接するが互いから離されて配され、隙間２９を規定する。これらの例において、内側セル２６の一部（例えば、内側セル２６の上壁）は隙間２９から露出することができる。
【００１９】
[0037]他の例において、エッジ２８は、各エッジ２８間に実質的に隙間が存在し得ないように（例えば図５Ｃ参照）、直接的に隣接させて（接触含む）または互いに重複すらさせて配することができる。外側セル２４は、材料の単一のストリップから形成することができ、エッジ２８の反対側に配することができるセル２４の底部３６は、隙間の形成なく、実質的に連続させることができる。外側セル２４のエッジ２８は、各セルが上壁４２、下壁３６、および対向する側壁３０を有することができるように、セル２４の上壁４２を規定することができる。対向する各側壁は、外側の折り目３４を規定することができる。
【００２０】
[0038]さらに図２Ｂから図６を参照すると、外側セル２４は、エッジ２８から下方および外方に傾斜する上側側壁３０を含むことができる。側壁３０の内面３３は、内側セル２６の方を向くことができ、側壁３０の外面３５は、部屋または建築物の開口の方へ向くことができる。長手方向の外部折り目３４は、エッジ２８から実質的に等しく離れることができ、互いに同じように延在している。各折り目３４は、少なくとも部分的に尖らすことができ、外側セル２４の長さ方向に沿って曲げ線または折り畳み線を設けることができる。セルパネル１６が引き込められ、セルが折り畳まれて積層すると、外側セル２４の側壁は折り目３４に沿って折り畳まれる。例えば、下部レール１４がセルパネル１６を縮めたとき、外側セル２４は、折り目線３４において折り畳むことができる。折り目線３４の下において、外側セル２４を形成する材料は、折り目線３４から下方へ離れるように延在する下側側壁３１を形成するように推移して外側セル２４の底部３６を形成する。
【００２１】
[0039]図２Ｂから図５および図６に示すように、内側セル２６は、外側セル２４と実質的に同じ断面形状および構造的特徴を有することができる。セルパネル１６が拡張されるとき、内側セル２６は、外側セル２４の上壁４２および下壁３６において外側セル２４と合わさり底部３６、これにより、隣接する側壁間に隙間を形成する。内側セル２６は、平行なエッジ４６を含むことができる材料のストリップから形成することができる（例えば、図７〜図９参照）。いくつかの実装形態において、内側セル２６は、外側セル２４に対して逆さにすることができる。例えば、長手エッジ４６は、外側セル２４の底部３６に動作可能に連結することができ、内側セル２６の連続的な上壁５０は外側セル２４の（上壁４２を形成する）エッジ２８に連結することができる。また、内側セル２６は、エッジ４６から上方および外方へ延在する２つの上側側壁５４を含むことができ、２つの下側側壁５５は、折り目６０の下方に延在し、長手エッジ４６を含む底部５７へ推移する。外側セル２４のように、内側セル２６は、セルパネル１６が引き込まれ、セルが積層されるとき、側壁の折り目６０に沿って折り畳まれる。
【００２２】
[0040]内側セル２６の側壁５４、５５は、側壁５４、５５の外面が外側セル２４に面し、内面２１が、反対側の側壁５４、５５の方の内部へ向くように配することができる。上側側壁５４は、折り目６０において下側側壁５５を形成するように推移し、外側セル２４における折り目３４と同様に、折り目６０は、セルパネル１６が引き込まれたとき、内側セル２６を折り畳み可能にする。内側セル２６の折り目６０は、２つのセル２４、２６が互いと長手方向に位置を合わせて折り畳むことができるように、外側セル２４における折り目３４とほぼ位置合わせされて同じように延在することができる。
【００２３】
[0041]いくつかの実装形態において、内側セル２６および外側セル２４のいずれかまたは両方は、エッジ２８、４６間で隙間が存在し得ないように、その代わりにエッジが接するまたは重複する縫い目のみが存在し得るように形成することができることに留意すべきである。例えば、図５Ｃは、エッジ４６間で隙間なく形成された内側セル２６の等角投影図である。外側セル２４は、同様に、エッジ２８間で隙間２９が存在し得ないように形成することができる。あるいは、内側セル２６および外側セル２４のそれぞれは、材料の２以上のストリップから形成することができ、これにより各セルの上部および底部の両方に形成された隙間または縫い目が存在し得る。
【００２４】
[0042]同様に、いくつかの例において、外側セル２４および内側セル２６の断面形状は、互いに異ならせることができる。例えば、内側セル２６は円形断面を有することができるのに対し、外側セル２４は六角形断面を有することができる。
【００２５】
[0043]図２Ｂから図５および図６を引き続き参照すると、内側セル２６は外側セル２４よりも小さくすることができるが、外側セル２４および内側セル２６は同様の形状を有することができる。２つのセル２４、２６は、各セル２４、２６が空気を閉じ込めることができるので断熱を提供することができ、これにより、セルパネル１６の第１の側とセルパネル１６の第２の側との間に空気のポケットを作出することができる。２つのセル２４、２６は、実質的にどのような形状でもよいが、それぞれ概して、体積を規定することができる。各セル２４、２６によって規定された体積は、概して、少なくとも２つの開口、例えば、遮蔽物１０の両側におけるセルユニット２２の両側にある開口、を含むことができる。上述したように、規定された体積は、断熱を提供するために、空気を閉じ込めるように機能することができる。また、セルパネル１６が引き込められるとき、各セル２４、２６の体積は、セルユニット２２が断面方向に折り畳まれるにつれて減少させることができる。
【００２６】
[0044]また、２つのセル２４、２６は、協働して、光がセルパネル１６を透過することを防止することができる。例えば、外側セル２４および内側セル２６のいずれかまたは両方は、可視波長を遮断または反射する材料を含むことができる。一例において、内側セル２６は遮光性材料（例えば、Ｍｙｌａｒ）から作製することができ、外側セル２４は、別の材料（半透明または不透明のいずれか）から作製することができる。材料は、編物、織物、もしくは不織布材料とすることができ、またはファブリックとすることができ、また、人工材料、天然材料、もしくは材料の組み合わせからも作製することもできる。この例において、セルパネル１６は、遮光機能を提供しながらも、改善された審美的な外観を有することができる。さらに、２つのセル２４、２６は、パネル１６の第１の側からパネル１６の第２の側への音の波長が減衰するので音波の遮断も提供することができる。セル２４、２６に対して他の材料も可能であり、本明細書に挙げた材料は例にすぎないことに留意すべきである。
【００２７】
[0045]図２Ａから図５および図６から図９を参照すると、外側セル２４と内側セル２６とは、種々の態様で動作可能に互いに連結することができる。内側セル２６と外側セル２４とは、内側セル２６の上壁５０の外面上に配された接着剤６２によって互いに連結することができる。いくつかの実装形態において、外側セル２４の各エッジ２８用の接着剤６２のラインがあってもよい。また、２つのセル２４、２６は第２の位置で互いに連結することができる。内側セル２６は、エッジ４６の下側外面に沿って配された接着剤６６を含むことができる。接着剤６２と同様に、内側セル２６の各エッジ４６用の接着剤６６の２つのラインがあってもよい。
【００２８】
[0046]第１のセルユニット２２Ａと第２のセルユニット２２Ｂとは、図２Ｂおよび図３に示すように、第１のセルユニット２２Ａの上面が第２のセルユニット２２Ｂの下面と位置合わせされると共に、隣接して配されるように、境界４８において連結することができる。セルユニット２２Ａ、２２Ｂは、各外側セル２４の上部外面上に配された接着剤ライン６４によって動作可能に互いに連結することができる。セルユニット２２Ａ、２２Ｂ間の連結ラインは複数の接着剤ライン６４を含むことができることに留意すべきである。接着剤ライン６４は合わせて、セルユニット２２Ａ、２２Ｂの長さに沿って線状の連結領域を形成することができる。
【００２９】
[0047]図２Ａを参照すると、各セルが、透過する光を少なくとも部分的に遮断する材料から作製されるか、またはさもなければ遮断するように適合されたいくつかのセルパネルにおいて、光は、セルの列間の連結部位４８から漏れることがあり、セルの前方または部屋側から見たときセル間に線条光が形成され得る。例えば、セルパネルの後方または道路側からの光は、接着剤６４、もしくはセル（非遮光性材料の場合）を形成する材料、または両者の組み合わせを透過することができるか、またはこれらによって反射することができる。光の帯または縞は、接着剤の種々のアスペクト比で生ずることができる。図２Ａに示すように、接着剤６４（または他の連結機構）は部分的に光を屈折させることができるので、光は様々な方向で連結部位４８を透過することができる。隣接する２つのセルの接合部での光散乱は、でこぼこした表面輪郭、材料の開放性および／もしくは多孔性、ならびに／またはセルと関連付けられたいずれかの反射表面を有する、ファブリックなどのセル材料に起因することができる。
【００３０】
[0048]これらのセルパネルにおいて、外側セルおよび／または内側セルが、光反射材料または非光透過材料を含むことができたとしても、光はパネルを透過することができる。セル間の連結部位から漏えいする光は、隣接するセル同士を連結するのに使用する接着剤を通過または接着剤の周りを通過する。一例において、これにより、セル上の遮光材料を有するセルシェードで暗くした部屋において、線条光がセル間から見えることになる。
【００３１】
[0049]図２Ｂから図９を参照すると、セルユニット２２は、隣接するセル間を通る光を減衰させるまたは排除するように、光を遮断するまたは吸収する光吸収要素７０を含むことができる。この要素７０は、これにより線条光問題を減少させるまたは排除することができる。例えば、黒いバンドは、境界４８と関連付けられ、隣接するセル間において散乱した光の実質的にすべてを吸収することができる。セルユニット２２は、１つまたは複数の光吸収要素７０を含むことができ、各光吸収要素７０は、セル２４、２６のいずれかまたは両方の上の様々な位置に配することができる。一例において、印刷された黒いバンドまたはストリップは、内側セル２６の上に配される。光吸収要素７０の配置は、外側セル２４の材料の種類に加えて、セルユニット２２Ａ、２２Ｂを連結する接着剤の位置に基づいて決定することができる。例えば、外側セル２４が光を透過する材料から作製される場合、光吸収要素が外側セル２４によって部分的に覆うことができるけれども、内側セル２６は光吸収要素７０を含むことができる。これは、光吸収要素７０が、セルユニット２２Ａ、２２Ｂ間の連結部位を通る光に加えて、外側セル２４を透過可能ないずれかの光を吸収することができるためである。
【００３２】
[0050]光吸収要素７０は、通常、隣接するセル間の隙間を通るであろう十分な量の可視光を吸収する。光吸収要素は、単独で、十分な光を効率よく吸収して隣接するセル間の線条光効果を大きく緩和することができ、または連結領域における他の構造的特徴（接着剤ストリップ、セル材料）と協働して作用して、隣接するセル間の線条光を緩和するまたは大部分排除することができる。したがって、線条光を生じさせる、連結領域を通ってセル間を通るまたは漏れる光は、光吸収要素７０単独で、または連結領域付近における他のセル構造との組み合わせによって吸収またはさもなければ遮断される。いくつかの例において、光吸収要素７０は、隣接するセルユニット２２間の境界４８の構造的部分ではない。言い換えれば、いくつかの例において、光吸収要素７０は、隣接するセルユニット２２同士を連結せず、または境界４８をわたって負荷を移動させない。このようにして、光吸収要素は、留め機構もしくは取り付け機構または１つのセルユニットを隣接するセルユニットに連結もしくは結合するのに使用される手段とは異ならせることができる。いくつかの例において、光吸収要素７０は、隣接するセルユニット２２間の境界４８の構造的部分である。いくつかの例において、セル２４、２６またはセルユニット２２を連結するのに使用される接着剤は、黒色染料等の染料で着色することができ、セルまたはセルの部分同士を少なくとも部分的に固定すると共に、光吸収要素として機能することができる。着色された接着剤を光吸収要素としても使用する場合、接着剤は、ここで図示および説明したような位置に配することができ、ならびに／または別個の光吸収要素が存在する場所に追加的に配することができる。
【００３３】
[0051]図２Ｂから図９をさらに参照すると、光吸収要素７０は、インクもしくは染料等の黒色材料とすることができ、またはセル材料に強固に結合されるシート材料の別個の片もしくは複数の片とすることができ、セルユニット２２Ａおよび２２Ｂ間の連結領域境界に配することができる。一例において、光吸収要素７０は、内側セル２６を形成する材料のストリップ（例えば、図７〜図９参照）に塗布された黒色染料とすることができる。光吸収要素７０は、適切な位置において外側セル２４を形成する材料のストリップ上に配することもできる。好適な染料またはインクの一例は、東京インキによって販売される黒色インク、ＦＡＢ−ＰＸ００、Ｆａｂｒａｓｆｌｅｘ  Ｂｌａｃｋ  ＦＲであり、約２μｍ（０．０８ミル）または約２．１μｍの厚さを有する層における材料のストリップに塗布される。シート材料の別個の片である光吸収要素７０の一例は、可視光吸収特性を有する暗い色のプラスチックの薄層であり、インクがセル材料のストリップに塗布された位置と同じまたは同様の位置に十分に結合され、隣接するセル同士を連結するのに使用される接着剤に適切な固定装置を提供することを十分に確保する。このようにして、セルユニット２２間の連結境界４８においてセルパネル１６の第１の側から通過可能な光は、光吸収要素７０によって吸収することができ、セルパネル１６の他方の側へ透過することができない。
【００３４】
[0052]他の例において、光吸収要素７０は、限定はされないが、茶色、灰色、濃紺色、紺青色、暗褐色、または深緑色等の他の暗い色とすることもできる。さらに、各セル２４、２６は、光の漏えいが生じ得る種々の位置に配される複数の光吸収要素７０を含むことができる。
【００３５】
[0053]特に図２Ｂを参照すると、セルパネル１６は、セル列２２の間の連結位置４８または境界から光が浸み出たり、漏れたり、またはさもなければ透過することを実質的に防止するまたは大きく減少させる光吸収要素７０を含む。図２Ｂに示すように、接着剤６４に入るまたはさもなければ（例えば、外側セル材料を通って）連結位置に入る光は、大部分吸収され、パネル１６の隣接するセルユニット２２Ａ、２２Ｂ間の境界４８を通過することが実質的に防止される。このため、セルパネル１６の材料および寸法に依存して、セルパネル１６は、いずれかの光がセルパネル１６を透過することを実質的に防止することができる。これにより、「暗い部屋」および光が望まれない他の区域を創出するのに使用されるセルパネル１６を提供することができる。さらにセルパネル１６は、光がパネル１６を透過して部屋を暖めにくくなるので、高められた断熱性を提供することができる。しかしながら、セルパネル１６は拡張および引き込み可能であるので、特定の建築物の開口を透過する光は、約０％から約１００％まで変化させることができる。
【００３６】
[0054]図２Ｂのセルパネル１６は、長手方向に延在し、横方向に離れた一対の接着剤ライン６４によって互いに連結された下側セルユニット２２Ａおよび上側セルユニット２２Ｂを含む。各セルユニット２２Ａ、２２Ｂは追加的な接着剤ライン６２、６６と共に連結された内側セル２６および外側セル２４を含む。特に、長手方向に延在し、横方向に離れた２つの接着剤ライン６２は、それぞれ、外側セル２４および内側セル２６の対応する上壁４２、５０を連結する。同様に、長軸方向に延在し、横方向に離れた２つの接着剤ライン６６は、それぞれ、外側セル２４および内側セル２６の対応する下壁３６、５７を連結する。
【００３７】
[0055]図２Ｂの各内側セル２６は、連続的な上壁５０および不連続な下壁５７を有し、一方、各外側セル２４は、不連続な上壁４２および連続的な下壁３６を有する。このため、接着剤ライン６２は、不連続な上壁４２の長手エッジ２８に位置合わせされ、エッジ２８から横方向外方に延在し、対応する上壁４２、５０間に配置される。同様に、接着剤ライン６６は、不連続な下壁５７の長手エッジ４６に位置合わせされ、エッジ４６から横方向外方に延在し、対応する下壁３６、５７間に配置される。
【００３８】
[0056]接着剤ライン６２、６６は、下側セルユニット２２Ａと上側セルユニット２２Ｂとの間の境界４８を二分する水平面に対して対称とすることができる。また、接着剤ライン６２、６６は、パネル１６の両側間の境界４８を二分する垂直面に対して対称とすることができる。境界領域４８内において、接着剤ライン６２、６６は、接着剤ライン６４の横方向内方に、または接着剤ライン６４間に配することができる。図２Ｂに示すように、隙間２９は、長手エッジ２８と接着剤ライン６２との間に横方向に形成される。同様に、隙間５９は、長手エッジ４６と接着剤ライン６６との間に横方向に形成される。隙間２９、５９は、境界４８内で互いに対向することができる。
【００３９】
[0057]さらに図２Ｂを参照すると、複数の光吸収要素７０Ａ、７０Ｂは、隣接するセルユニット２２Ａ、２２Ｂ間の境界４８に配される。第１の光吸収要素７０Ａは、下側セルユニット２２Ａと関連付けられ、概して、境界４８の内部空間６３の下部に配される。より詳細には、第１の光吸収要素７０Ａは、隙間２９における下側セルユニット２２Ａの上壁５０上に配され、隙間２９の全幅にわたって横方向に延在する。第１の光吸収要素７０Ａは、各接着剤ライン６２とほぼ同じ高さを有し、外側セル２４の上壁４２と比較してへこんでいる。代替例において、図２Ｃに示すように、第１の光吸収要素７０Ａは、セル材料に埋め込まれるおよび／またはセル材料と一体とすることができ、内側セル２６の上壁５０と同じ高さで延在することができる。代替例において、図２Ｃに示すように、第２の光吸収要素７０Ｂは、セル材料に埋め込まれるおよび／またはセル材料と一体とすることができ、外側セル２４の下壁３６と同じ高さで延在することができる。また、光吸収要素は、セル材料の高さ（層厚）の一部のみに埋め込まれてもよい。再び図２Ｂを参照すると、第１の光吸収要素７０Ａの幅は、第１の光吸収要素７０Ａの高さよりも大きい。一実装形態において、第１の光吸収要素７０Ａは、少なくとも５：１のアスペクト比を有することができる。外側セル２４および／または内側セル２６の全幅は、光吸収要素として作用する、黒等の暗い色によって印刷、着色、または塗ることができる。印刷領域または光吸収要素７０の厚さは薄くてもよく、これにより、光吸収要素７０のアスペクト比は比較的大きくすることができる。例えば、いくつかの例において、光吸収要素７０のアスペクト比は、約３２０：１から約５０，０００：１までである。
【００４０】
[0058]図２Ｂに示すように、第１の光吸収要素７０Ａは、境界４８の内部空間６３に露出し、接着剤ライン６２、６４および６６間において横方向に等距離に、内側セル２６の上壁５０上の中心に配される。この配置において、第１の光吸収要素７０Ａは、（下側セルユニット２２Ａおよび／または上側セルユニット２２Ｂの外側セル２４が光透過性である構成において）接着剤ライン６２、６４、６６、外側セル２４、および内側セル２６を含む境界領域４８と関連付けられた種々の特徴から下方に屈折されたまたは指向された光を吸収する。図２Ｂにおいて、境界４８内に示した矢印によって表されるように、光は、第１の光吸収要素７０Ａの方へ、接着剤６４から屈折されているおよび／または下壁３６から反射されている。第１の光吸収要素７０Ａは光を吸収し、光が境界４８を透過することを実質的に減少させるまたは排除する。
【００４１】
[0059]図２Ｂにおいて、第２の光吸収要素７０Ｂは、上側セルユニット２２Ｂと関連付けられ、概して、境界４８の内部空間６３の上部に配される。第２の光吸収要素７０Ｂは、上側セルユニット２２Ｂの外側セル２４の下壁３６上方に配され、上側セルユニット２２Ｂの外側セル２４を通過したいずれかの光を吸収する（すなわち、上側セルユニット２２Ｂの外側セル２４は図２Ｂにおいて光透過性である）。より詳細には、第２の光吸収要素７０Ｂは、下壁３６に連結され、隙間５９に配され、隙間５９の全幅にわたって横方向に延在する。第２の光吸収要素７０Ｂは、各接着剤ライン６６とほぼ同じ高さを有し、このため、内側セル２６の下壁５７と比較してへこんでいる。代替例において、図２Ｃに示すように、第２の光吸収要素７０Ｂは、セル材料に埋め込まれ、内側セル２４の下壁３６と同じ高さで延在することができる。再び図２Ｂを参照すると、第２の光吸収要素７０Ｂの幅は、第２の光吸収要素７０Ｂの高さよりも大きい。一実装形態において、第２の光吸収要素７０Ｂは、少なくとも５：１のアスペクト比を有することができる。セルユニット２２Ａ、２２Ｂを二分する垂直平面に沿って広がる、境界４８の縦断面は、下側セルユニット２２Ａの内側セル２６の上壁５０、第１の光吸収要素７０Ａ、空間６３、上側セルユニット２２Ｂの外側セル２４の下壁３６、および第２の光吸収要素７０Ｂを含む。
【００４２】
[0060]図２Ｂに示すように、第２の光吸収要素７０Ｂは、接着剤ライン６２、６４および６６間において横方向に等距離に、外側セル２４の下壁３６上の中心に配される。この配置において、第２の光吸収要素７０Ｂは、（下側セルユニット２２Ａおよび／または上側セルユニット２２Ｂの外側セル２４が光透過性である構成において）接着剤ライン６２、６４、６６、外側セル２４、および内側セル２６を含む境界領域４８と関連付けられた種々の特徴から上方に屈折されたまたは指向された光を吸収する。図２Ｂにおいて、第２の光吸収要素７０Ｂは、第１の光吸収要素７０Ａと横方向に位置合わせされるが、第１の光吸収要素７０Ａから縦方向に離れている。
【００４３】
[0061]動作において、隣接するセルユニット２２Ａ、２２Ｂ間の境界領域４８に接近する光は、概して、セルユニット２２Ａ、２２Ｂの外側セル２４、接着剤６４、または両方に当たる。外側セル２４が光不透過性である場合、外側セル２４は光線を反射し、光線の一部は接着剤６４に当たることができる。外側セル２４が光透過性である場合、光線の一部は、外側セル２４を通過し、接着剤ライン６２、６４、６６、外側セル２４の一部、内側セル２６の一部、および光吸収要素７０を含む、境界４８の構成要素の少なくとも１つに最初に当たることができる。
【００４４】
[0062]図２Ｂにおいて、光吸収要素７０Ａ、７０Ｂは、接着剤ライン６２、６４、６６の内側に配され、このため、入射光線は、光吸収要素７０Ａ、７０Ｂに到達する前に、接着剤ライン６２、６４、６６の少なくとも１つまたは外側セル２４を通過しなければならない。各接着剤ライン６２、６４、６６および外側セル２４は、光透過性であるならば、概して、入射光線の一部を吸収および／または反射する。このため、この吸収または反射された光線は、境界４８を通ってセルパネル１６の他方の側へ透過されない。言い換えれば、パネルの一方の側から境界４８へ接近する光の一部のみが、境界４８の内部空間６３へ透過される。
【００４５】
[0063]接着剤ライン６２、６４、６６および外側セル２４は、概して、磨かれた、反射する、または鏡のような表面は含まず、むしろ、多くの平坦でない表面または小さな外部小面を有し、これらの一部は微小にすることができる。このため、接着剤ライン６２、６４、６６または外側セル２４を通過する光線は、概して、乱反射パターンで表面から出ていく。乱反射した光線のほとんど（すべてではない場合）は、それぞれ、境界４８の上部および下部に選択的に配された光吸収要素７０Ａ、７０Ｂに当たり、吸収される。少量の光線が光吸収要素７０Ａ、７０Ｂによって横方向に通ることができる。しかしながら、これらの光線は、パネル１６の他方の側の境界４８に出る前に少なくとも１つの追加的な接着剤ライン６２、６４、６６または外側セル２４を通過しなければならない。前の論述と同様に、追加的な接着剤ライン６２、６４、６６および外側セル２４は、このような光線の一部を吸収し反射する。このため、パネル１６の他方の側の方へ追加的な接着剤ライン６２、６４、６６または外側セル２４を通過する光の量は、概して、非常に小さく検知不可能である。言い換えれば、接着剤ライン６２、６４、６６、外側セル２４、光吸収要素７０Ａ、７０Ｂ、またはこれらの組み合わせの構成は、境界４８を通過する光の量を実質的に排除するまたは大きく減少させる。境界４８の内部空間６３へ入る光のすべてが光吸収要素７０によって吸収されない場合のほとんどにおいて、概して、人間に検知不可能な量の光が、パネル１６の後方または道路側となり得る第１の側から、前方または部屋側となり得る第２の側へ境界４８を通って透過する。
【００４６】
[0064]正しく認識されるべきであるように、光吸収要素７０Ａ、７０Ｂはセルユニット２２Ａ、２２Ｂに取り付けられた別個の構成要素であるとして示されるけれども、光吸収要素７０Ａ、７０Ｂは、セルユニット２２Ａ、２２Ｂの壁と一体化することができる。例えば、前述のように、光吸収要素７０Ａ、７０Ｂは、境界４８と関連付けられたセルユニット２２Ａ、２２Ｂの材料の一部に塗布される染料とすることができる。また、２つの光吸収要素７０Ａ、７０Ｂが示されているが、他の数の光吸収要素が使用可能であることを正しく認識するべきである。例には、境界４８ごとに１つのみの光吸収要素または３つ以上の光吸収要素が含まれる。
【００４７】
[0065]ところで図３を参照すると、隣接するセルユニット２２Ａ、２２Ｂ間の境界４８の別の例が提供される。概して、この例において、接着剤ライン６２、６４、６６は、図２Ｂに示した例とほぼ同じ位置に配される。しかしながら、横方向外方への接着剤ライン６４のアスペクト比は変わっている。より詳細には、図３の接着剤ライン６４のアスペクト比は約３：１であるのに対し、図２Ｂの接着剤ライン６４のアスペクト比は約１：１である。いくつかの例において、接着剤ラインのアスペクト比は約１：１から約１０：１である。いくつかの例において、接着剤ラインのアスペクト比は約１：１から約５：１（幅対高さ比）である。いくつかの例において、接着剤ラインのアスペクト比は約２：１である。
【００４８】
[0066]図２Ｂに示した例と同様に、図３において、複数の光吸収要素７０Ａ、７０Ｂは、隣接するセルユニット２２Ａ、２２Ｂ間の境界４８に配される。第１の光吸収要素７０Ａは、下側セルユニット２２Ａの内側セル２６の上壁５０上の中心に置かれ、内側セル２６の上壁５０を外側セル２４の上壁４２に連結する２つの接着剤ライン６２の下に配される。接着剤ライン６２は、互いに横方向に隙間２９離れており、光吸収要素７０Ａは、各接着剤ライン６２全幅の下に、かつ隙間２９にわたって連続的に延在している。言い換えれば、第１の光吸収要素７０Ａの幅は、２つの接着剤ライン６２の幅および隙間２９の幅の合計である。
【００４９】
[0067]さらに図３を参照すると、第２の光吸収要素７０Ｂは、上側セルユニット２２Ｂと関連付けられる。特に、第２の光吸収要素７０Ｂは、下壁５７のエッジ４６に近接して、下壁５７の下に、および下壁５７、３６を互いに連結する接着剤ライン６６の上方に配される。言い換えれば、第２の光吸収要素７０Ｂは、上側セルユニット２２Ｂの下壁５７と接着剤ライン６６との間の縦方向に配される。
【００５０】
[0068]図３の第２の光吸収要素７０Ｂは、外側セル２４の下壁３６の中心から、パネル１６の後方または道路側となり得るパネル１６の一方の側の方へ横方向にずれている。第２の光吸収要素７０Ｂは、接着剤ライン６６の全幅にわたって連続的に延在する。言い換えれば、第２の光吸収要素７０Ｂの幅は、接着剤ライン６６の１つの幅とほぼ同一である。
【００５１】
[0069]図３に示す構成において、第１の光吸収要素７０Ａは、境界４８の内部空間６３の下方に配され、第２の光吸収要素７０Ｂは、境界４８の内部空間６３の上方に配される。図３の第１の光吸収要素７０Ａは、図２Ｂの光吸収要素７０Ａよりも広い幅を有し、このため、増大した表面積に少なくとも部分的に起因してより多くの光を吸収することができる。図３の第２の光吸収要素７０Ｂは、光が境界４８の中心を横切る前または後にパネル１６の一方の側から透過した光を吸収するように、境界４８の中心からパネル１６の当該一方の側の方へ横方向にずれている。また、長手エッジ４６に近接して第２の光吸収要素７０Ｂを配することは、対向するエッジ４６間において横方向に位置する隙間５９を露出させる。外側セル２４が光透過性であり、内側セル２６が光不透過性である構成において、隙間５９を通過する光が内側セル２６の内部空洞に入り、光が空洞内で吸収されまたは連続的に反射され、これにより光が内側セル２６の内部空洞から漏れ出ることを防止するので、隙間５９は境界４８のさらなる光妨害特徴として作用する。
【００５２】
[0070]図４Ａ〜図４Ｂにさらに示すように、光吸収要素７０は、接着剤ライン６２、６４、６６に近接してまたはこれらの下に配することができる。これにより、光が接着剤ライン６２、６４、６６に入ることができるが、光吸収要素７０によって吸収することができるので、光が接着剤６２、６４、６６を通ってまたはこれらの周りを透過することを防止することに寄与することができる。図４Ａ〜図４Ｂにおいて、第１の光吸収要素７０Ａは、図３と同様に空間的に離れた接着剤ライン６２下に延在する。しかしながら、図３と比較して、図４Ａ〜図４Ｂに示す第１の光吸収要素７０Ａは、接着剤ライン６２下からパネルの各側の方へ横方向外方に延在し、光が接着剤ライン６２に当たる前に光を吸収または収集する。図４Ａ〜図４Ｂの第１の光吸収要素７０Ａは、内側セル２６の上壁５０の実質的な幅を覆っている。例えば、第１の光吸収要素７０Ａは、上壁５０の幅の５０％よりも大きい範囲を覆っている。また、図４Ａに示すように、第２の光吸収要素７０Ｂは、接着剤ライン６６の下に配され、内側セル２６の下側側壁５５への下壁５７の推移に対して横方向外方に延在してもよい。言い換えれば、第２の光吸収要素７０Ｂは、長手エッジ４６と下側側壁５５の変移点との間の内側セル２６の下壁５７に沿って延在する幅を有する。
【００５３】
[0071]図２Ｂ、図３、図４Ａおよび図４Ｂは、光吸収要素７０を配することができるいくつかの例を示すが、他の多くの配置も、隣接するセルユニット２２Ａ、２２Ｂの境界４８を透過する光を実質的に防止することに効果的であり得る。図５〜図５Ｃを参照すると、いくつかの実装形態において、光吸収要素７０は、セルユニット２２間の境界に加えて、セル２４、２６間の境界または合わせ目に近接するまたはさもなければその付近の位置に配することができる。
【００５４】
[0072]一例において、図５Ａ〜図５Ｂに示すように、第１の光吸収要素７０Ａは、内側セル２６の上壁５０の上面５１上に配することができ、第２要素７０Ｂは、内側セル２６の底部の長手エッジ４６に沿って配することができる（図５Ｂ参照）。このため、内側セル２６は、２つの別個の光吸収要素７０Ａ、７０Ｂを含むことができ、各光吸収要素７０Ａ、７０Ｂは、外側セル２４と内側セル２６との間および／または第１セルユニット２２Ａと第２セルユニット２２Ｂとの間のいずれかの異なる連結位置に配することができる。図５にさらに示すように、第１の光吸収要素７０Ａは、内側セル２６の上壁５０上の中心に位置し、隙間２９にわたって横方向外方に、空間的に離れた接着剤ライン６２の両方の下に、および接着剤ライン６２のそれぞれの外側エッジから横方向外方に延在する。第１の光吸収要素７０Ａは、上壁５０の全幅の実質的な一部である幅を有する。第１の光吸収要素７０Ａの幅は、上壁５０の全幅の少なくとも５０％とすることができる。また、図５に示すように、第２の光吸収要素７０Ｂは、接着剤ライン６６の下に配され、接着剤ライン６６の全幅にわたって下壁５７の長手エッジ４６から延在し、かつ接着剤ライン６６の外側エッジから横方向外方に延在する。
【００５５】
[0073]図５Ｃは、長手エッジ４６が互いに直接的に接する（長手エッジ４６間に隙間のない）内側セル２６の等角投影図を示す。図５Ｃの内側セル２６は、上壁５０上に配された第１の光吸収要素７０Ａおよび下壁５７上の配された第２の光吸収要素７０Ｂを含む。図示のように、第１の光吸収要素７０Ａは、内側セル２６の側面からほぼ等距離の上壁５０上の中心に配される。図５Ｃの第１の光吸収要素７０Ａは、上壁５０の全幅の約３分の１である幅を有する。第２の光吸収要素７０Ｂは、下壁５７上に配され、第１の光吸収要素７０Ａから横方向にずれている。図５〜図５Ｃは、単一のセルを示しているだけであるが、セルユニット間およびセル間で光を吸収する光吸収要素７０Ａ、７０Ｂと共に作用する隣接する上側セルユニットおよび下側セルユニットに加えて別のセルが存在してもよい。
【００５６】
[0074]前述のように、いくつかの実装形態において、光吸収要素７０は、外側セル２４上に配することができる。図６は、動作可能に互いに連結された第１のセルユニット２２Ａと第２のセルユニット２２Ｂの等角投影図である。光吸収要素７０は、エッジ２８の一方または両方の付近で外側セル２４の外面に動作可能に連結することができる。代替的または付加的に、いくつかの例において、光吸収要素７０は、（図６Ｂのセルユニット２２Ｂに示すように）外側セル２４の下壁３６の外面上に配することができる。このため、光吸収要素７０は、セルユニット２２間の合わせ目または境界位置に配することができる。図６に示すように、光吸収要素７０は、外側セル２４の上壁４２の長手エッジ２８から接着剤ライン６４の内側エッジへ横方向に延在する。光吸収要素７０は、いくつかの例において、接着剤ライン６４の下で、接着剤ライン６４の外側エッジから横方向外方に延在することができる。
【００５７】
[0075]光吸収要素７０は、接着剤の幅、厚さ、および配置に加えて、セル２４、２６および／またはセルユニット２２の特定の構成に依存し得る可変の幅を有することができる。例えば、セルユニット２２Ａ、２２Ｂ間の連結境界が大量の接着剤または付加的な合わせ目を有する場合、適量の光を吸収するためにより幅の広い光吸収要素７０を必要とすることができる。付加的に、いくつかの例において、通常の視角から使用者に光吸収要素７０が見えなくなるように、光吸収要素７０がより細い幅を有することを望んでもよい。このことは、光吸収要素７０の色が外側セル２４から視認できるように、外側セル２４がより明るい色の材料から形成することができる例において特に望まれ得る。光吸収要素７０は、接着剤の下のみに延在することができ、または接着剤の一方の側または両側の下から横方向に延在することができる。
【００５８】
[0076]いくつかの実装形態において、光吸収要素７０は、内側セル２６および／または外側セル２４を作出するのに使用される材料中にまたは材料上に繰み込むことができる。例えば、図７〜図１０は、光吸収要素７０を含む未形成内側セル２６の平面図を示す。上述したように、内側セル２６は、Ｍｙｌａｒ、ポリウレタンおよびポリオレフィンなどの遮光性または減光性材料とすることができ、光吸収要素７０Ａ、７０Ｂは内側セル２６材料の黒色化部分または着色部分とすることができる。
【００５９】
[0077]図７は、未形成内側セル２６上に配された２つの別個の光吸収要素７０Ａおよび７０Ｂを示す第１の例である。上述したように、セル２４、２６は、長手方向のラインに沿って折り畳まれ、曲げられまたは折られた材料の細長いストリップから作製される。材料７６のストリップは総幅Ｆを有することができ、光吸収要素７０Ａ、７０Ｂは材料７６の幅Ｆよりも細い幅Ｇ、Ｈを有することができる。上記に簡単に記載したように、材料７６のストリップは第１の色を有することができ、光吸収要素７０は材料７６の黒く着色した部分とすることができる。
【００６０】
[0078]内側セル２６が形成されるとき、第１の光吸収要素７０Ａが内側セル２６の連続的な上壁５０の外面上に配することができるように（図５参照）、第１の光吸収要素７０Ａは材料７６のストリップの中央または中心線付近に配することができる。第１の光吸収要素７０Ａは、材料７６の中心線７７からわずかにずらすことができる。例えば、図７に示すように、第１の光吸収要素７０Ａは、材料７６の幅Ｆの中心線７７に端を置くことができる。光吸収要素７０が接着剤ライン６２のいずれかの側を越えて延在することができるように、内側セル２６を外側セル２４に動作可能に連結するための接着剤ライン６２は、光吸収要素７０の上部に配することができる。他の例において、接着剤ライン６２は、光吸収要素７０の中心からずらして、かつ光吸収要素７０に近接して配することができる。
【００６１】
[0079]第２の光吸収要素７０Ｂは、内側セル２６の長手エッジ４６の一方に隣接して配することができる。例えば、図５、図７および図８Ａを参照すると、第２の光吸収要素７０Ｂは、長手エッジ４６にまたは長手エッジ４６に近接して内側セル２６の下面５３上に配することができる。第１の光吸収要素７０Ａのように、接着剤ライン６６は、第２の光吸収要素７０Ｂの上にまたは第２の光吸収要素７０Ｂに近接して配することができる。
【００６２】
[0080]第２の光吸収要素７０Ｂは、外側セル２４の材料を通って入り得る光を吸収することに特に役立てることができる。上述したように、いくつかの実装形態において、外側セル２４は光透過材料とすることができる。この実装形態において、第２の光吸収要素７０Ｂは、セルユニット２２Ａ、２２Ｂ間の境界４８から少なくとも部分的に覆うことができ（図３および図５参照）、パネル１６の一方の側から他方の側へ潜在的には逆方向にも透過可能な光を吸収するようにも機能することができる。これは、光は、外側セル２４を通って入ることができ、光吸収要素７０Ｂがなければ外側セル２４の上部３０および境界４８を透過することが可能になるからである。しかし、第２の光吸収要素７０Ｂを用いて、光は境界４８を透過する前に吸収される。
【００６３】
[0081]第３の光吸収要素７０Ｃは、内側セル２６の長手エッジ４６のもう一方に近接して配することができる。例えば、図７Ａおよび図９Ａの両方を参照すると、第３の光吸収要素７０Ｃは、長手エッジ４６にまたは長手エッジ４６に近接して内側セル２６の下面５３上に配することができる。第１および第２の光吸収要素７０Ａ、７０Ｂのように、接着剤ライン６６は、第３の光吸収要素７０Ｃの上部にまたは光吸収要素７０に近接して配することができる。
【００６４】
[0082]第１の光吸収要素７０Ａ、第２の光吸収要素７０Ｂ、および第３の光吸収要素７０Ｃの幅は可変である。例えば、図７〜図７Ａは、幅Ｇを有するような第１の光吸収要素７０Ａ、幅Ｈを有するような第２の光吸収要素、および幅Ｊを有するような第３の光吸収要素を示す。この例において、材料の幅Ｆに依存して、第１の光吸収要素の幅Ｇは約１．２７ｃｍ（１／２インチ）とすることができ、第２の光吸収要素７０Ｂの幅Ｈは約０．７１４ｃｍ（９／３２インチ）とすることができ、および第３の光吸収要素７０Ｃの幅Ｊは約０．３９７ｃｍ（５／３２インチ）とすることができる。異なる寸法が可能であるけれども、いくつかの例において、第１の光吸収要素７０Ａの幅は、材料７６の幅Ｆの約１／６とすることができる。この例において、光吸収要素７０Ａ、７０Ｂ、７０Ｃの幅Ｇ、Ｈ、Ｊは、使用者が通常の視角から光吸収要素７０Ａ、７０Ｂを見ることが実質的にできないように細くすることができる。
【００６５】
[0083]図８〜図８Ａは、内側セル２６または外側セル２４を形成するのに使用される材料７６のストリップの別の例である。図８の例に示すように、材料７６の幅Ｆの約半分とすることができる幅Ｋを有する１つの光吸収要素７０が存在することができる。このようにして、内側セル２６の外面の半分は、光吸収要素７０Ａを含むことができる。同様に、図８に示されてはいないけれども、いくつかの例において、光吸収要素７０は、内側セル２６の全外面上に配することができる。言い換えれば、内側セル２６の全外面は黒く着色することができる。図８Ａに示すように、幅Ｊを有する第２の光吸収要素７０Ｂは長手エッジ４６に近接して配することができる。この例において、内側セル２６の外面の半分よりも広い面が光吸収要素７０と関連付けられる。
【００６６】
[0084]図９は、光吸収要素７０Ａ、７０Ｂの別の例である。この例において、光吸収要素７０Ａ、７０Ｂの幅は、実質的に狭めることができる。これにより、光吸収要素７０Ａ、７０Ｂの色を暗くすることができるので外側セル２４材料をより明るい色にすることができ、より広い幅が外側セル２４を通じて視認可能となる。より細い幅を用いれば、要素７０Ａおよび７０Ｂは、より明るい材料を通してもより見えにくくなるであろう。一例において、材料の幅Ｆは、約７．６２ｃｍ（３インチ）とすることができる。第１の光吸収要素７０Ａは、約０．４６７ｃｍ（３／１６インチ）とすることができる幅Ｌを有することができ、第２の光吸収要素７０Ｂは、約０．３９７ｃｍ（５／３２インチ）とすることができる幅Ｊを有することができる。しかしながら、材料７６の幅および／または光吸収要素７０Ａ、７０Ｂの所望の幅に応じて、他の寸法も適用可能である。この例において、光吸収要素７０Ａ、７０Ｂの幅を実質的に細くすることができるが、光吸収要素７０Ａ、７０Ｂは、セルパネル１６の一方の側からセルパネル１６の第２の側へ光が透過することを実質的に防止することがなお可能である。図９Ａは、第２の光吸収要素７０Ｂの幅Ｊと同じ幅を有する第３の光吸収要素７０Ｃを含む。描写したように、第２および第３の光吸収要素７０Ｂ、７０Ｃは、中心線７７に対して対称である。図９Ａに描写していないけれども、第１の光吸収要素７０Ａは、中心線が材料７６のストリップを、長手方向に伸びる２つの等しい半分または部分へと描写するように中心線７７に沿って中央に置くことができる。
【００６７】
[0085]結論
前述の説明は、幅広い用途を有する。例えば、本明細書に開示された例は光吸収要素の位置または幅に焦点を置くことができるが、本明細書に開示された概念は、概して光吸収要素のいずれかの位置または幅に等しく適用することができると理解すべきである。同様に、光吸収要素は分離した要素について論じられているけれども、装置および技法は、内側セルまたは外側セルが光吸収要素と一体に形成された実施形態に等しく適用可能である。例えば、光吸収要素は、（所望の配置位置で）セルを形成する材料のストリップに埋め込むことができ、またはセルを形成する材料のストリップの（的確な配置位置における）厚さにわたって取り巻くことができる。また、光吸収要素は、天然または合成材料から作製される織物または不織ファブリックなどのシート材料の分離片から形成することができる。この種類の光吸収要素は、裁縫、接着剤、留具、または他の種類の固定具によって所望の位置に配するおよび／または固定することができる。したがって、いずれかの実施形態の議論は、説明上のものであることのみを意味し、特許請求の範囲を含む開示範囲がこれらの例に限定されることを示唆することを意図するものではない。さらに、本明細書に記載した例におけるセルを形成するのに使用される材料は、概して可撓性材料であるが、材料は、場合によっては、剛体もしくは半剛体、またはこれらの組み合わせとすることができ、合成もしくは天然または材料の組み合わせから作製することができることが意図される。
【００６８】
[0086]すべての方向性の表示（例えば、近い、遠い、上側、下側、上方、下方、左、右、横方向、長手、前方、後方、上部、下部、上、下、垂直、水平、半径方向、軸方向、時計回り、および反時計回り）は、読み手による本開示の理解を助けるための確認目的のために使用されているだけであり、特に位置、配向、または本開示の使用に関して限定を与えるものではない。連結表示（例えば、取り付けられた、結合された、連結された、および接合された）は、幅広く解釈されるべきであり、他に指示がない限り、要素の集合体間の中間部材および要素間の関連作動装置を含むことができる。このように、連結表示は、２つの要素が直接的に連結され、互いに固定された関係にあることを必ずしも暗示するものではない。図面は、例示のみの目的であり、本明細書に添付された図面に反映された寸法、位置、順序、および相対的な大きさは可変である。
【図１Ａ】
2014525528.tif 000003
【図１Ｂ】
2014525528.tif 000004
【図２Ａ】
2014525528.tif 000005
【図２Ｂ】
2014525528.tif 000006
【図２Ｃ】
2014525528.tif 000007
【図３】
2014525528.tif 000008
【図４Ａ】
2014525528.tif 000009
【図４Ｂ】
2014525528.tif 000010
【図５】
2014525528.tif 000011
【図５Ａ】
2014525528.tif 000012
【図５Ｂ】
2014525528.tif 000013
【図５Ｃ】
2014525528.tif 000014
【図６】
2014525528.tif 000015
【図７】
2014525528.tif 000016
【図７Ａ】
2014525528.tif 000017
【図８】
2014525528.tif 000018
【図８Ａ】
2014525528.tif 000019
【図９】
2014525528.tif 000020
【図９Ａ】
2014525528.tif 000021
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
建築物の開口用の遮蔽物であって、
アタッチメントラインに沿って取り付けられた少なくとも２つのセルユニットと、
前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、
を備える、遮蔽物。
【請求項２】
前記少なくとも２つのセルユニットのそれぞれは、
外側セルと、
前記外側セル内に少なくとも部分的に収容された内側セルと、
を含む、請求項１に記載の遮蔽物。
【請求項３】
前記内側セルの外面の少なくとも一部は、別のセルユニットの前記外側セルが前記内側セルに近接して配されるように前記境界において露出される、請求項２に記載の遮蔽物。
【請求項４】
前記第１の光吸収要素は、前記内側セル上に配される、請求項２に記載の遮蔽物。
【請求項５】
前記第１の光吸収要素は、前記境界で露出した前記内側セルの外面上に配される、請求項２に記載の遮蔽物。
【請求項６】
前記第１の光吸収要素は、前記外側セル上に配される、請求項２に記載の遮蔽物。
【請求項７】
前記第１の光吸収要素に対して前記セルユニットの反対側に配される第２の光吸収要素をさらに備える、請求項１〜６のいずれか一項に記載の遮蔽物。
【請求項８】
前記第１の光吸収要素は、前記第１の光吸収要素上に入射する実質的にすべての可視光波長を吸収する、請求項１〜６のいずれか一項に記載の遮蔽物。
【請求項９】
建築物の開口を覆うセルパネルであって、
第１のセル列と、
前記第１のセル列に動作可能に連結された第２のセル列と、
前記第１のセル列と前記第２のセル列との間の境界に配された第１の光吸収要素と、を備えるセルパネル。
【請求項１０】
前記第１のセル列は、
第１の外側セルと、
前記第１の外側セル内に少なくとも部分的に収容された第１の内側セルと、
を含み、
前記第２のセル列は、
第２の外側セルと、
前記第２の外側セル内に少なくとも部分的に収容された第２の内側セルと、
を含む、請求項９に記載のセルパネル。
【請求項１１】
前記第１の内側セルおよび前記第２の内側セルは、光吸収材料から少なくとも部分的に構成される、請求項１０に記載のセルパネル。
【請求項１２】
前記第１の光吸収要素は、前記第２の内側セルの外面上に配される、請求項１０に記載のセルパネル。
【請求項１３】
前記第１の外側セルは、前記第１の光吸収要素が露出される隙間を規定する、請求項１０〜１２のいずれか一項に記載のセルパネル。
【請求項１４】
前記第１の光吸収要素は、前記第１の内側セルの第１の長手エッジに近接して配される、請求項１０〜１２のいずれか一項に記載のセルパネル。
【請求項１５】
前記第２のセル列に動作可能に連結された第３のセル列と、前記第２のセル列と前記第３のセル列との間の境界に近接して配された第２の光吸収要素と、をさらに備える、請求項１０〜１２のいずれか一項に記載のセルパネル。
【請求項１６】
前記第１および第２の光吸収要素は異なる幅を有する、請求項１５に記載のセルパネル。
【請求項１７】
前記境界の縦断面は、
前記第２の内側セルの上壁と、
前記上壁の上方に配された前記第１の光吸収要素と、
前記第２の内側セルの前記上壁および前記第１の光吸収要素から縦方向に離れた前記第１の外側セルの下壁と、
を備える、請求項１０〜１２のいずれか一項に記載のセルパネル。
【請求項１８】
前記遮蔽物は第２の光吸収要素をさらに備え、前記境界の前記縦断面は、前記下壁の上方に配された前記第２の光吸収要素をさらに備える、請求項１７に記載のセルパネル。
【請求項１９】
建築物の開口用の遮蔽物であって、
上部レールと、
前記上部レールに動作可能に連結され、少なくとも２つのセルユニットを含むセルパネルであって、各セルユニットが、
外側セルと、
前記外側セル内に少なくとも部分的に収容された内側セルと、を備えるセルパネルと、
前記少なくとも２つのセルユニット間の境界に配された第１の光吸収要素と、
前記上部レールに対して前記セルパネルの反対側の端部に動作可能に連結され、前記遮蔽物が拡張された状態と引き込められた状態との間を動作する際に縦方向に移動可能である下部レールと、
を備える遮蔽物。
【請求項２０】
前記第１の光吸収要素は、前記内側セルまたは前記外側セルのうちの少なくとも一方に埋め込まれ、前記第１の光吸収要素に入射する実質的にすべての可視光波長を吸収する、請求項１９に記載の遮蔽物。
【請求項２１】
前記内側セルの外面の少なくとも一部は、別のセルユニットの前記外側セルが前記内側セルに近接して配されるように前記境界で露出される、請求項１９に記載の遮蔽物。
【請求項２２】
前記第１の光吸収要素は前記内側セル上に配される、請求項１９〜２１のいずれか一項に記載の遮蔽物。
【請求項２３】
前記第１の光吸収要素は、前記境界で露出した前記内側セルの前記外面の前記一部に配される、請求項２２に記載の遮蔽物。
【請求項２４】
建築物の開口用の遮蔽物であって、
アタッチメントラインに沿って取り付けられた少なくとも２つのセルユニットと、
前記少なくとも２つのセルユニットの境界において前記アタッチメントラインに近接して配され、前記少なくとも２つのセルユニット間を通る光を吸収し、隣接するセル間の光の漏出を減少させる第１の光吸収要素と、
を備える、遮蔽物。
【請求項２５】
前記少なくとも２つのセルユニットのそれぞれは、
外側セルと、
前記外側セル内に少なくとも部分的に収容された内側セルと、
を含む、請求項２４に記載の遮蔽物。
【請求項２６】
前記内側セルの外面の少なくとも一部は、別のセルユニットの前記外側セルが前記内側セルに近接して配されるように前記境界において露出される、請求項２５に記載の遮蔽物。
【請求項２７】
前記第１の光吸収要素は、前記内側セル上に配される、請求項２５または２６に記載の遮蔽物。
【請求項２８】
前記第１の光吸収要素は、前記境界で露出した前記内側セルの外面上に配される、請求項２５〜２７のいずれか一項に記載の遮蔽物。
【請求項２９】
前記第１の光吸収要素は、前記外側セル上に配される、請求項２５または２６に記載の遮蔽物。
【請求項３０】
前記第１の光吸収要素は、前記内側セルまたは前記外側セルのうちの少なくとも一方の一部内に少なくとも部分的に埋め込まれる、請求項２５〜２９のいずれか一項に記載の遮蔽物。
【請求項３１】
前記第１の光吸収要素は、前記内側セルまたは前記外側セルのうちの少なくとも一方の一部と一体である、請求項２５〜３０のいずれか一項に記載の遮蔽物。
【請求項３２】
前記第１の光吸収要素は、前記内側セルまたは前記外側セルのうちの少なくとも一方の一部の上部に、当該一部から離れるように延在して配される、請求項２５〜３１のいずれか一項に記載の遮蔽物。
【請求項３３】
前記第１の光吸収要素は、前記第１の光吸収要素に入射する実質的にすべての可視光波長を吸収する、請求項２４〜３２のいずれか一項に記載の遮蔽物。
【請求項３４】
前記第１の光吸収要素に対して隣接するセルユニット上に配される第２の光吸収要素をさらに備える、請求項２４〜３３のいずれか一項に記載の遮蔽物。
【請求項３５】
前記第２の光吸収要素は、前記隣接するセルユニットの一部内に少なくとも部分的に埋め込まれる、請求項３４に記載の遮蔽物。
【請求項３６】
前記第２の光吸収要素は、前記隣接するセルユニットの一部と一体である、請求項３４または３５に記載の遮蔽物。
【請求項３７】
前記第２の光吸収要素は、前記隣接するセルユニットの一部の上部に、当該一部から離れるように延在して配される、請求項３４〜３６のいずれか一項に記載の遮蔽物。
【請求項３８】
前記境界の縦断面は、
第１のセルユニットの内側セルの上壁と、
前記上壁の上方に配された前記第１の光吸収要素と、
前記第１のセルユニットの前記内側セルの前記上壁および前記第１の光吸収要素から縦方向に離れた第２のセルユニットの外側セルの下壁と、
を備える、請求項２５〜３７のいずれか一項に記載の遮蔽物。
【国際調査報告】
2014525528.tif 000022
2014525528.tif 000023